(57)【特許請求の範囲】
【請求項１】
複数枚の仕切板と、隣接し合う前記仕切板同士を接続する連結子とを備えた体験型の組立式迷路遊戯具において、
前記仕切板が、前記連結子の内周と接触する少なくとも１つの面において少なくとも一部分にテーパー面が設けられた外周面を持つ柱体を少なくとも２つ備え、
前記連結子が、隣接する一方の前記仕切板の前記柱体と他方の前記仕切板の前記柱体を内部に挿入できる孔を備え、
前記連結子の孔に隣接する一方の前記柱体と他方の前記柱体を嵌め入れることにより前記テーパー面が前記連結子の孔の内面に当接して隣接する前記仕切板を接続せしめることを特徴とする体験型の組立式迷路遊戯具。
【請求項２】
前記連結子の中に挿入された２つの前記隣接し合う柱体を囲む周回の長さが、前記柱体の上端面では前記連結子の内周よりも小さく、前記テーパー面の下端部分の高さの面では前記連結子の内周よりも大きいものであることを特徴とする請求項１に記載の体験型の組立式迷路遊戯具。
【請求項３】
前記柱体が前記仕切板の両端に設けられ、前記柱体の側面のうち前記仕切板の内側に向いた面に前記テーパー面を設けたことを特徴とする請求項１または２に記載の体験型の組立式迷路遊戯具。
【請求項４】
前記テーパーを前記柱体の側面の上方部分および下方部分のそれぞれ２箇所設けておき、前記柱体を天地自在に利用可能としたことを特徴とする請求項１から３のいずれか１項に記載の体験型の組立式迷路遊戯具。
【請求項５】
前記柱体が一部に前記テーパー面を持つ四角柱であり、前記連結子が矩形型の枠体である請求項１から４のいずれか１項に記載の体験型の組立式迷路遊戯具。
【請求項６】
前記仕切板に少なくとも１つの窓があり、前記仕切板に対向する利用者の視界の一部は遮られることなく向こうが通して見えることを特徴とする請求項１から５のいずれか１項に記載の体験型の組立式迷路遊戯具。
【発明の詳細な説明】
【技術分野】
【０００１】
本発明は、迷路遊戯具に関する。特に、固設型ではなく、組み換えが容易な組立式迷路遊戯具に関する。本発明の迷路遊戯具の利用方法は特に限定されないが、例えば、組み立てた迷路を災害時における通路と見立てて児童の災害時の身の処し方などを学習させる等の防災意識向上を目的とした体験型迷路としての遊び方も可能なものである。
【背景技術】
【０００２】
迷路施設とは一般的に、迷路入口から迷路出口に向けて通り抜ける遊戯施設である。迷路入口から迷路出口への間の途中径路には、人間が通行できる壁面等で囲まれた通路があり、途中径路は仕切板等で複雑に仕切られており、途中に行き止まりが設けられていたり分岐個所が設けられていたりして迷路入口から迷路出口に至るまでに試行錯誤をしながらその途上を楽しむものとなっている。公園の小さな迷路から遊園地等における巨大迷路と呼ばれる大型迷路まである。
【０００３】
従来の固設型の迷路であると、毎回、途中径路における径路の選択の正解枝が固定的であり、複数回実行すると児童が通過できる通路と行き止まりの通路の判別を学習してしまい、本来の迷路としての機能を失ってしまい、児童が再度利用する回数に限りが生じてしまっていた。そこで、迷路の途中経路を容易に変更できる組立式の迷路が必要とされている。
【０００４】
児童が通り抜けるほどの規模がある組み立て式の迷路は少ないが、例えば、ウレタンホーム素材の仕切板を面ファスナーでつなぎ留めて形成する迷路が知られている（特許文献１）。
特許文献１において仕切板の素材としてウレタンホームが用いられる理由は、迷路の解読を困難にするため、仕切り板や壁面は前方の視界が遮られるようないわゆる“壁面”とするために体積が大きくなるところ、全体の重量を軽くするために比重の軽い素材として選ばれた点と、接続手段が面ファスナーという比較的弱い接続手段であるため、仕切板の重量を軽くするために比重の軽い素材として選ばれた点にある。
特に特許文献１では、ウレタンホーム素材の仕切板の接続方法として、面ファスナーが開示されているが、その他の接続方法は開示されていない。
【０００５】
また、例えば、仕切板の素材として、ウレタンホームに代え、生分解性繊維を内部に持つ生分解性発泡体を用い、着脱可能な係合部材を係合する組立式迷路が知られている（特許文献２）。
特許文献２においては、下部マット３を迷路の面積全体に敷き詰める必要がある。下部マット３の下に下部柱４を下敷きにして立ててその上に接続柱２を立てるものとなっている。また、仕切板１は接続柱２の側面に縦方向に設けられている溝２１に対してスライドさせて入れるものとなっている。
仕切板１の素材としては特に限定されていないが、迷路の解読を困難にするため、仕切り板や壁面は前方の視界が遮られるようないわゆる“壁面”とするために体積が大きくなるところ、全体の重量を軽くするために比重の軽い素材として選ばれるものと考えられる。
特に特許文献２では、仕切板の接続方法として、柱に縦方向に設けられた溝に対してスライドさせて嵌め込む方法が開示されているが、その他の接続方法は開示されていない。
【０００６】
【特許文献１】特開２００１−０４６７５５号公報
【特許文献２】特開２００５−２１８４８１号公報
【発明の開示】
【発明が解決しようとする課題】
【０００７】
しかし、上記特許文献１に記載の迷路には、以下の問題がある。
第１の問題は、迷路の構造的強度があまりに弱いという点である。特許文献１に記載の迷路において、ウレタンホームという素材は確かに軽く、仕切板の組み立てや組み換えは比較的容易であると言えるものの、その接続方法が面ファスナーであり、やはりその接続強度が弱く、実際の児童の迷路使用中において不用意に面ファスナーがとれてしまう不具合も発生しうるものであった。
第２の問題は、児童が転倒しやすくなるという問題である。特許文献１に記載の迷路は、途中径路の予測を難しくするために通常の迷路同様、仕切板を壁面状にして向こう側が見えないようにしており、そのために仕切板の体積が大きくなる関係上、軽い素材が選択され、迷路全体の構造的強度が弱いものとなっている。児童が遊戯中に仕切板に衝突しても怪我をしないように迷路が固設型ではなく迷路自体が動く可動型とする点は評価できるが、迷路内で仕切板に触れたり少し当たったりした程度でも迷路が崩れてしまうようではかえって危ないとも言える。
【０００８】
また、上記特許文献２に記載の迷路には、以下の問題がある。
第１の問題は、迷路の組立や組み替えが大変な作業であるという問題である。
特許文献２に示した組立式迷路では、下部マット３を迷路の面積全体に敷き詰める必要があるが、児童が通路を通り抜ける規模の迷路であればかなりの面積となり、その面積全体に下部マット３を広げることは大変である。一枚のシートを広げるようなものではなく、下部柱４を細かく立てるために下部マット３を多数枚用いる必要があるため、それだけの枚数の下部マット３を敷き詰める作業が必要である。次に、その下部マット３の１つ１つに下部柱４を下敷きにして敷き詰める必要があり、その作業は極めて煩雑で手間である。さらに、その下部柱４の上に接続柱２を差し込む必要があり、その後に接続柱２の側面の溝２１に対して仕切板１をスライドさせて差し込む必要がある。このように組立は極めて煩雑で手間である。
【０００９】
上記問題点に鑑み、本発明は、作業効率を高めるために、迷路の仕切り板の組み立て・組み替えが容易にできる組立式迷路遊戯具を提供することを目的とする。また、安全性を高めるために、迷路が固設型ではなく、仕切板が軽く児童が衝突したら迷路自体が動く可動型としつつも、仕切板同士の接続強度を或る程度強いものとし、迷路内で児童が仕切板に触れたり少し当たったりした程度では迷路が崩れてしまうようなことがない程度の強度を持つ迷路を提供することを目的とする。
【課題を解決するための手段】
【００１０】
上記目的を達成するため、本発明の組立式迷路遊戯具は、複数枚の仕切板と、隣接し合う前記仕切板同士を接続する連結子とを備えた体験型の組立式迷路遊戯具において、前記仕切板が、少なくとも２つの柱体を備え、前記連結子が、隣接する一方の前記仕切板の前記柱体と他方の前記仕切板の前記柱体を内部に挿入できる孔を備え、前記連結子の孔に隣接する一方の前記柱体と他方の前記柱体を嵌め入れることにより隣接する前記仕切板を接続せしめることを特徴とするものである。
【００１１】
上記構成により、複数枚の仕切板と連結子を用いて、組み立てるために接続したい仕切板を隣接させ、一方の仕切板の柱体と他方の仕切板の柱体を合わせた状態で上からそれら２つの柱体に連結子を通し入れるだけで、隣接する柱体同士と連結子が嵌合し合って簡単かつしっかりと緊締することができる。
複数枚の仕切板を自在に配設し、次々と簡単に連結してゆくことで様々なパターンの迷路を組み立てることができる。仕切板の数を増やしてゆけばその組み立て方は無限大である。
【００１２】
ここで、上記構成において、前記柱体の外周面のうち前記連結子の内周と接触する少なくとも１つの面において少なくとも一部分に下向きに拡がるテーパー面が設けられており、前記連結子の孔に隣接する一方の前記柱体と他方の前記柱体を嵌め入れた場合に前記テーパー面が前記連結子の孔の内面に当接して止まるものであることが好ましい。
また、上記構成において、前記連結子の中に挿入された２つの前記隣接し合う柱体を囲む周回の長さが、前記柱体の上端面では前記連結子の内周よりも小さく、前記テーパー面の下端部分の高さの面では前記連結子の内周よりも大きいものであることが好ましい。
また、上記の迷路遊戯具の構成において、前記柱体が前記仕切板の両端に設けられ、前記柱体の側面のうち前記仕切板の内側に向いた面に前記テーパー面を設けたものであることが好ましい。
【００１３】
上記構成により、複数枚の仕切板と連結子を用いて、組み立てるために接続したい仕切板を隣接させ、一方の仕切板の柱体と他方の仕切板の柱体を合わせた状態で上からそれら２つの柱体に連結子を通し入れると、柱体のテーパー面が設けられている部分において嵌って止まり、簡単にかつしっかりと２つの仕切板を緊締することができる。
【００１４】
なお、連結子をテーパー面で嵌って緊締する原理を用いれば、設置箇所の地面の多少のでこぼこや傾きに対して柔軟に対応できる。例えば、設置箇所の地面にでこぼこがある場合、隣接する仕切板の柱体が設置される高さが微妙に異なるものとなり、隣接する柱体同士の位置関係は本来の位置関係より高さ方向においてずれている。しかし、連結子をテーパー面で嵌って緊締する原理であれば、連結子を上から落としてゆくと、隣接し合う柱体を囲む周回の長さが連結子の内周の長さと略同じとなる部分で止まって嵌ることとなる。
なお、上記構成において、前記テーパーを前記柱体の側面の上方部分および下方部分のそれぞれ２箇所設けておけば、前記柱体を天地自在に利用可能となり、使い勝手が向上する。つまり、組立式迷路遊戯具を用いて迷路を構成する際に仕切板の天地を気にせず配設して行くことができ、連結子を用いて次々と連結せしめてゆくことができる。
【００１５】
ここで、柱体の形状と連結子の形状の組み合わせの例としては、前記柱体が一部に前記テーパー面を持つ四角柱であり、前記連結子が矩形型の枠体という組み合わせがある。
【００１６】
なお、前記仕切板には少なくとも１つの窓があり、前記仕切板に対向する利用者の視界の一部は遮られることなく向こうが通して見えるものとすることが好ましい。
上記構成とすれば、迷路内で児童が周囲の状況を良く把握でき、従来型迷路のように径路内で迷わせることを目的とした単なる遊戯型の迷路ではなく、迷路全体における自分の位置を確かめながら目的をもって径路内を進ませることを目的とした体験学習型の組立式迷路遊戯具とすることができる。
【発明の効果】
【００１７】
本発明にかかる組立式迷路遊戯具によれば、複数枚の仕切板と連結子を用いて、組み立てるために接続したい仕切板を隣接させ、一方の仕切板の柱体と他方の仕切板の柱体を合わせた状態で上からそれら２つの柱体に連結子を通し入れると、柱体のテーパー面が設けられている部分において嵌って止まり、簡単にかつしっかりと２つの仕切板を緊締することができる。
仕切板を自由に組み合わせて行くことができ、仕切板を組み合わせる枚数にも制限がなく様々な組み合わせ方が可能であり、その組み合わせ方は無限大である。
また、柱体のテーパー面で連結子を嵌めて緊締する原理を用いれば、設置箇所の地面の多少のでこぼこや傾きに対して柔軟に対応できる。
また、テーパーを柱体の側面の上方部分および下方部分のそれぞれ２箇所設けておけば、柱体を天地自在に利用可能となり、使い勝手が向上する。
また、本発明にかかる組立式迷路遊戯具によれば、仕切板に窓を設けておくことにより、迷路内で児童が周囲の状況を良く把握できるようになり、従来型迷路のように径路内で迷わせることを目的とした単なる遊戯型の迷路ではなく、迷路全体における自分の位置を確かめながら目的をもって径路内を進ませることを目的とした体験学習型の迷路とすることができる。例えば、地震などで行く手のところどころに障害物や通過できない個所がある場所からの避難誘導を目的とした体験型の防災学習ができる迷路として用いることができる。
【発明を実施するための最良の形態】
【００１８】
以下、本発明の組立式迷路遊戯具を添付図面に示す好適実施例に基づいて詳細に説明する。なお、本発明はこれらの実施例に限定されるものではない。
【実施例１】
【００１９】
以下、本発明に係る体験型の組立式迷路遊戯具の構成例を、図面を参照しながら説明する。
図１は、本発明の実施例１の体験型の組立式迷路遊戯具１００の構成例を模式的に示す図である。図１（ａ）は仕切板１０の正面図、側面図、平面図となっている。図１（ｂ）は連結子２０の正面図、側面図、平面図となっている。
図２は隣接する２つの仕切板１０ａと仕切板１０ｂとを連結子２０により接続する様子を示す図である。
図１に示すように、組立式迷路遊戯具１００は、仕切板１０、連結子２０を備えた構造となっている。
【００２０】
仕切板１０は、この構成例では両端に柱体１１、柱体１２、窓１３を備えた木製の板材で形成されたものとなっている。この構成では全体が梯子型であり、両端において柱体１１および柱体１２の先端が突出したような仕切板となっている。
【００２１】
柱体１１と柱体１２は、少なくとも１つの側面の少なくとも一部において、テーパー面１４を持つ四角柱となっている。この例ではテーパー面１４は、柱体１１および柱体１２の側面のうち仕切板１０の内側に向いた面に設けられている。図１ではテーパー面１４は仕切板１０の内側に向いた面に設けられているが、限定はされず他の面であっても良い。また、この構成例ではテーパー面１４の上方にはテーパーを持たない柱体部分が延設されているが、このような柱体部分を設けるか否かも限定されない。
なお、後述するように、このテーパー面１４が設けられている面は、連結子２０が嵌った際に連結子２０の孔２２の内周と接触する部分となる。
また、この構成例では、テーパー面１４が柱体の側面の上方部分および下方部分のそれぞれ２箇所設けられて天地が自在となった例となっている。このようにテーパー面１４も上方部分および下方部分にそれぞれ設けておくことにより、仕切板１０の立て方において柱体の天地が自在となり、迷路を組み立てて行く際に天地を考えずに配設していくことができ、大変便利である。もちろんテーパー面１４を柱体の側面に１箇所だけ設ける構成の仕切板であっても天地を考えて配設してゆけば適用できることは言うまでもない。
【００２２】
窓１３は、仕切板１０の面に設けられた開口であり、後述するように、迷路遊戯具１００において遊戯する児童が仕切板１０に対向した場合、窓１３を介して視界が遮られることなく向こうが通して見えるものとなっている。仕切板１０に窓１３が設けられているので、迷路遊戯具１００で児童が周囲の状況を把握でき、迷路遊戯具１００全体における自分の位置を確かめながら目的をもって径路内を進ませることを目的とした体験学習型の迷路とすることができる。
【００２３】
連結子２０は、この構成例では、矩形の枠２１と孔２２を備えた金属製の金具で形成されたものとなっている。この連結子２０により隣接し合う仕切板１０同士を接続する。
例えば、図２に示すように、隣接する仕切板１０ａと仕切板１０ｂを連結する場合、連結子の孔２２が、仕切板１０ａの柱体（例えば柱体１２ａ）と他方の仕切板１０ｂの柱体（例えば柱体１１ｂ）を内部に挿入できる空間となる。
補強締結子２１は、柱体１１および柱体１２を下方で補強締結する治具であり、例えば、プラスチック製の締結バンドや輪ゴム等で良い。プラスチック製の締結バンドは締結対象物を束ねて巻きつけて締め上げるだけで簡単に締結することができるものであり、繰り返し使用できるよう、締結と弛緩が繰り返せるものが好ましい。つまり付け外しが何度もできるものであれば、迷路の組み立て、分解、再組み立てなどが容易となる。なお、一度締結すると弛緩できず、切り取ることで取り外すような締結バンド（例えば、パソコンのケーブル類などを束ねるときに利用されているプラスチック製の締結バンド）であっても利便性は低下するが利用することは可能である。
【００２４】
次に、仕切板１０の柱体１１および柱体１２の大きさと、連結子２０の孔２２の大きさの関係、テーパー面１４の高さの関係について説明する。
図３は、仕切板１０の柱体１１および柱体１２の大きさと、連結子２０の孔２２の大きさの関係、テーパー面１４の高さの関係を説明する図である。図２に比べて該当箇所を拡大して示している。
【００２５】
図３（ａ）の右側には、図３（ａ）左図における柱体１１ｂ，１２ａの上端面の高さにおけるＡ−Ａ線断面、柱体１１ｂ，１２ａのテーパー面の下端付近の高さにおけるＢ−Ｂ線断面、連結子２０の孔２２を示している。
図３（ａ）右側の柱体１１ｂ，１２ａのＡ−Ａ線断面と連結子２０の孔２２との関係に示すように、柱体１１ｂ，１２ａの上端面の高さにおいて、隣接する２つの仕切板１０ａの柱体１２ａと仕切板１０ｂの柱体１１ｂを合わせたものを囲む周回の長さが、柱体１２ａおよび柱体１１ｂの上端面では連結子２０の内周の長さよりも小さく、上から連結子２０を押し込むだけで簡単に通過するものとなっている。この構成例ではまっすぐ延設されている部分は同様に通過してゆく。このようにまっすぐ延設されている部分があれば、連結子２０を入れてゆく際、最初は滑らかに入りやすく、ある程度の距離を嵌め入れてからテーパー面１４で止まることとなり、仕切板同士を連結した状態で連結子２０が柱体１１、１２から不用意に抜けにくくなる。
【００２６】
ここで、仕切板１０の柱体１１および柱体１２の内面には下側に拡がるテーパー面１４が設けられており、図３（ａ）右側の柱体１１ｂ，１２ａのＢ−Ｂ線断面と連結子２０の孔２２との関係に示すように、テーパー面の下端部分の高さの面では、隣接する２つの仕切板１０ａの柱体１２ａと仕切板１０ｂの柱体１１ｂを合わせたものを囲む周回の長さが連結子２０の内周の長さよりも大きくなっている。そのため、図３（ｂ）に示すように、上から挿入した連結子２０はテーパー面１４のために途中で通過できなくなって止まることとなる。なお、この例では柱体１１ｂと柱体１２ａの下方において補強締結子２１で締結を補強している。
【００２７】
このように、テーパー面１４の存在により、連結子２０を上から落とすだけで簡単に仕切板１０同士の隣接する柱体１１および１２に嵌って止まり、隣接する仕切板１０同士を簡単に、かつ、しっかりと緊締することができる。
上記原理を適用して、隣接する仕切板１０同士の連結方向や連結数は多様なものとすることができる。
【００２８】
図４は、２つの仕切板１０を平行ではなく直角に連結した様子を示す図である。
図４（ａ）は２つの仕切板１０ａと仕切板１０ｂを直角に並べた様子を上面から見た図である。この状態で隣接する柱体（この例では柱体１１ｂと柱体１２ａ）を連結子２０により連結する。図４（ｂ）は２つの仕切板１０ａと仕切板１０ｂを直角に並べた状態で連結子２０を嵌めた様子を示す図である。
【００２９】
図５は、図３と同様、仕切板１０ａおよび仕切板１０ｂを直角に組み合わせた場合における仕切板の柱体の大きさと、連結子２０の孔２２の大きさの関係、テーパー面１４の高さの関係を説明する図である。図４に比べて該当箇所を拡大して示している。
【００３０】
図５（ａ）右側の柱体１１ｂ，１２ａのＡ−Ａ線断面と連結子２０の孔２２との関係に示すように、柱体１１ｂ，１２ａの上端面の高さにおいて、隣接する２つの仕切板１０ａの柱体１２ａと仕切板１０ｂの柱体１１ｂを合わせたものを囲む周回の長さが、柱体１２ａおよび柱体１１ｂの上端面では連結子２０の内周の長さよりも小さく、上から連結子２０を押し込むだけで簡単に通過するものとなっている。この構成例ではまっすぐ延設されている部分は同様に通過してゆく。
【００３１】
図５（ａ）右側の柱体１１ｂ，１２ａのＢ−Ｂ線断面と連結子２０の孔２２との関係に示すように、テーパー面の下端部分の高さの面では、隣接する２つの仕切板１０ａの柱体１２ａと仕切板１０ｂの柱体１１ｂを合わせたものを囲む周回の長さが連結子２０の内周の長さよりも大きくなっている。そのため、図５（ｂ）に示すように、連結子２０を上から挿入してゆくと、仕切板１０ａの柱体１２ａのテーパー面１４ａが連結子２０の内周に触れ、仕切板１０ｂの柱体１１ｂのテーパー面１４ｂも連結子２０の内周に触れている。つまり、連結子２０を上から仕切板１０ａの柱体１２ａと仕切板１０ｂの柱体１１ｂに嵌めると２カ所において連結子２０の内周とテーパー面１４ａ，１４ｂが接触することとなる。
なお、この例では柱体１１ｂと柱体１２ａの下方において補強締結子２１で締結を補強している。
【００３２】
図６は、３つの仕切板１０ａ〜１０ｃを２つの連結子２０ａ〜２０ｂを用いて連結した様子を示す図である。
図６（ａ）は３つの仕切板１０ａと仕切板１０ｂと仕切板１０ｃをそれぞれ直角に並べた様子を上面から見た図である。
【００３３】
まず、この状態で仕切板１０ａと仕切板１０ｂの柱体（この例では柱体１２ａと柱体１１ｂ）を連結子２０ａにより連結する。図４と同様、２つの仕切板１０ａと仕切板１０ｂを直角に並べた状態で連結子２０ａを嵌める。
図６（ｂ）に示すように、２つの仕切板１０ａと仕切板１０ｂを並べた状態で連結子２０ａを嵌めると、仕切板１０ａの柱体１２ａのテーパー面１４ａが連結子２０ａの内周に触れ、仕切板１０ｂの柱体１１ｂのテーパー面１４ｂも連結子２０ａの内周に触れている。
【００３４】
次に、仕切板１０ａと仕切板１０ｃの柱体（この例では柱体１２ａと柱体１１ｃ）を連結子２０ｂにより連結する。ここで、連結子２０ａで緊締しあっている仕切板１０ａと仕切板１０ｂのうちさらに仕切板１０ａに対して仕切板１０ｃを連結子２０ｂにより緊締する場合、仕切板１０ａと仕切板１０ｃの間には連結子２０ａが介在するので連結子２０ａの厚み分だけ隙間が生じることとなる。
図６（ｂ）に示すように、２つの仕切板１０ａと仕切板１０ｃを直角に並べた状態で連結子２０ｂを嵌めると、仕切板１０ａの柱体１２ａのテーパー面１４ａが連結子２０ｂの内周に触れ、仕切板１０ｃの柱体１１ｃのテーパー面１４ｂも連結子２０ｂの内周に触れている。
【００３５】
ここで、仕切板１０ａに対して２つの連結子２０ａと連結子２０ｂが重なるため、両者が嵌って止まる高さを調整する必要がある。例えば、連結子２０ａの孔２２ａの大きさ（幅）と連結子２０ｂの孔２２ｂの大きさ（幅）を変える工夫がある。柱体にはテーパー面１４がついているので止まる高さが変わったり、間に連結子２０の厚みが介在したりすると、囲むべき柱体外形の大きさ（幅）が変わる。その幅に調整した連結子２０を用意しておけば良い。このように孔２２の大きさ（幅）を変えることにより、柱体の外形に嵌って止まる高さを変えることができ、連結子２０ａ、連結子２０ｂとも違う高さで止まりながら隣接する仕切板１０同士を簡単に、かつ、しっかりと緊締することができる。
【００３６】
図７は、４つの仕切板１０ａ〜１０ｄを３つの連結子２０ａ〜２０ｃを用いて連結した様子を示す図である。
図７（ａ）は４つの仕切板１０ａ〜１０ｄをそれぞれ直角に並べた様子を上面から見た図である。
【００３７】
まず、この状態で仕切板１０ａと仕切板１０ｂの柱体（この例では柱体１２ａと柱体１１ｂ）を連結子２０ａにより連結する。例えば、２つの仕切板１０ａと仕切板１０ｂを直角に並べた状態で連結子２０ａを嵌める。連結子２０ａを嵌めると、図７（ｂ）の状態では、仕切板１０ａの柱体１２ａのテーパー面１４ａが連結子２０ａの内周に触れ、仕切板１０ｂの柱体１１ｂのテーパー面１４ｂも連結子２０ａの内周に触れている。
【００３８】
次に、例えば、仕切板１０ａと仕切板１０ｃの柱体（この例では柱体１２ａと柱体１１ｃ）を連結子２０ｂにより連結する。この例では２つの仕切板１０ａと仕切板１０ｃを直角に並べた状態で連結子２０ｂを嵌める。ここで、連結子２０ａで緊締しあっている仕切板１０ａと仕切板１０ｂのうちさらに仕切板１０ａに対して仕切板１０ｃを連結子２０ｂにより緊締する場合、仕切板１０ａと仕切板１０ｃの間には連結子２０ａが介在するので連結子２０ａの厚み分だけ隙間が生じることとなる。連結子２０ｂを嵌めると、図７（ｂ）の状態では、仕切板１０ａの柱体１２ａのテーパー面１４ａが連結子２０ｂの内周に触れ、仕切板１０ｃの柱体１１ｃのテーパー面１４ｃも連結子２０ｂの内周に触れている。
【００３９】
また同様に、仕切板１０ａと仕切板１０ｄの柱体（この例では柱体１２ａと柱体１１ｄ）を連結子２０ｃにより連結する。この例では２つの仕切板１０ａと仕切板１０ｄを直角に並べた状態で連結子２０ｃを嵌める。ここで、連結子２０ａで緊締しあっている仕切板１０ａと仕切板１０ｂと仕切板１０ｃのうちさらに仕切板１０ａに対して仕切板１０ｄを連結子２０ｃにより緊締する場合、仕切板１０ａと仕切板１０ｄの間には連結子２０ｂが介在するので連結子２０ｂの厚み分だけ隙間が生じることとなる。連結子２０ｃを嵌めると、図７（ｂ）の状態では、仕切板１０ａの柱体１２ａのテーパー面１４ａが連結子２０ｃの内周に触れ、仕切板１０ｄの柱体１１ｄのテーパー面１４ｄも連結子２０ｃの内周に触れている。
【００４０】
なお、仕切板１０ａの柱体１２ａに３つの連結子２０ａ〜２０ｃが取り付けられるが、テーパー面の角度、連結子２０の厚みなどを加味してそれぞれの孔２２ａ〜２２ｃの大きさ（幅）を変えたものを用意しておき、柱体に止まる高さを変える工夫を施せば、連結子２０ａ、連結子２０ｂ、連結子２０ｃとも違う高さで止まりながら隣接する仕切板１０同士を簡単に、かつ、しっかりと緊締することができることは同様である。
【００４１】
なお、連結子２０は、柱体の一番下で止まる連結子２０ａと、柱体の中程で止まる連結子２０ｂ（連結子２０ａの厚みも考慮したもの）、柱体の一番上で止まる連結子２０ｃ（連結子２０ｂの厚みも考慮したもの）の３種類のみで良く、基本的に柱体の一番下で止まる連結子２０ａを用いて仕切板１０同士を連結してゆき、もう一枚仕切板１０を追加する場合には、その時点で柱体の中程で止まる連結子２０ｂを用いれば良く、さらに、同じ個所でもう一枚仕切板１０を追加する場合には、その時点で柱体の一番上で止まる連結子２０ｃを用いれば良いので、使用する連結子２０の種類で混乱することはない。
【００４２】
本発明の迷路遊戯具１００は、上記に示した接続方法（隣接する２つの仕切板１０の接続、３つの仕切板１０の接続、４つの仕切板１０の接続）を様々に組み合わせ、多様な迷路を容易に形成することができる。
【００４３】
図８は、本発明の迷路遊戯具１００を用いて形成した迷路を簡単に示した図である。図８に示した例では、２つの仕切板１０の接続、３つの仕切板１０の接続、４つの仕切板１０の接続が複雑に組み合わされている。このように複雑な迷路であっても、仕切板１０を並べて隣接する柱体１１、柱体１２に対して連結子２０を上から嵌めるだけで簡単にかつしっかりと緊締することができる。また、仕切板１０を複数枚組み上げて仕切板１０が直角に組まれる箇所が複数生じると、その部分は次第に自立できるようになる。そのため、仕切板１０をその周辺に次々と足して行くことは比較的に容易となる。
このように複数枚の仕切板１０を自在に配設し、次々と簡単に連結してゆくことで様々なパターンの迷路を組み立てることができる。仕切板１０の数を増やしてゆけばその組み立て方は無限大である。
【００４４】
図９は、本発明の迷路遊戯具１００を用いて形成した迷路により、体験学習型の防災教育を目的とした迷路の例を簡単に示した図である。図９の例では、いわゆる行き止まりになっている箇所には“キケン・通行止め”という表示や、“火災・通行止め”という表示等があり、災害により児童の通行が制限されている箇所と見立てたり、いわゆる通行できる箇所の途中に“安全点呼”という表示や“消防署”という表示や“病院”という表示等があり、児童がその地点を通り抜けると良い箇所と見立てたりして、防災意識を高める体験学習型の教育用具として用いることができる。
【００４５】
以上、本発明の組立式迷路の構成例における好ましい実施形態を図示して説明してきたが、本発明の技術的範囲を逸脱することなく種々の変更が可能であることは理解されるであろう。
【産業上の利用可能性】
【００４６】
本発明の組立式迷路は、体験型の組立式迷路、体験型の教育用具などに広く適用することができる。
【図面の簡単な説明】
【００４７】
【図１】本発明の実施例１の体験型の組立式迷路遊戯具１００の構成例を模式的に示す図
【図２】隣接する２つの仕切板１０ａと仕切板１０ｂとを連結子２０により接続する様子を示す図
【図３】仕切板１０の柱体１１および柱体１２の大きさと、連結子２０の孔２２の大きさの関係、テーパー面１４の高さの関係を説明する図（拡大図）
【図４】２つの仕切板１０を平行ではなく直角に連結した様子を示す図
【図５】直角に隣接する仕切板１０の柱体１１および柱体１２の大きさと、連結子２０の孔２２の大きさの関係、テーパー面１４の高さの関係を説明する図（拡大図）
【図６】３つの仕切板１０ａ〜１０ｃを２つの連結子２０ａ〜２０ｂを用いて連結した様子を示す図
【図７】４つの仕切板１０ａ〜１０ｄを３つの連結子２０ａ〜２０ｃを用いて連結した様子を示す図
【図８】本発明の迷路遊戯具１００を用いて形成した迷路を簡単に示した図
【図９】本発明の迷路遊戯具１００を用いて形成した迷路により、体験学習型の防災教育を目的とした迷路の例を簡単に示した図
【符号の説明】
【００４８】
１０  仕切板
１１  柱体
１２  柱体
１３  窓
１４  テーパー面
２０  連結子
２１  枠体
２２  孔
１００  組立式迷路遊戯具
【図１】
0005468373.tif 000002
【図２】
0005468373.tif 000003
【図３】
0005468373.tif 000004
【図４】
0005468373.tif 000005
【図５】
0005468373.tif 000006
【図６】
0005468373.tif 000007
【図７】
0005468373.tif 000008
【図８】
0005468373.tif 000009
【図９】
0005468373.tif 000010